(57)【要約】【課題】鉄塔荷重への負担を軽減し、しかもロングスパンで駐鳥を阻止できる鳥害防止装置を提供することである。【解決手段】ロックタイ１１は、架空電線１２の上方にロックタイ１１の先端部１１ａが突出するように架空電線１２に巻き付けられて装着され、鳥が架空電線１２に止まる動作に入ったときに鳥の羽がロックタイ１１の先端部１１ａに当たる程度の長さ及び間隔で配置され、防鳥テープ１３は、ロックタイ１１の架空電線１２への装着部に先端部が架空電線１２の下方に垂れ下がるように取り付けられる。【選択図】  図１
2011239601.tif 000002
【特許請求の範囲】
【請求項１】
架空電線の上方に先端部が突出するように前記架空電線に巻き付けられて装着され、鳥が前記架空電線に止まる動作に入ったときに前記鳥の羽が先端部に当たる程度の長さ及び間隔で配置されたロックタイと、
前記ロックタイの前記架空電線への装着部に先端部が前記架空電線の下方に垂れ下がるように取り付けられた防鳥テープとを備えたことを特徴とする鳥害防止装置。
【請求項２】
少なくとも２個の前記ロックタイを隣接して前記架空電線に取り付け、隣接した各々のロックタイは所定の狭角を保って取り付けられることを特徴とする請求項１に記載の鳥害防止装置。
【発明の詳細な説明】
【技術分野】
【０００１】
本発明は、架空電線に鳥類が飛来して駐鳥することを防止する鳥害防止装置に関する。
【背景技術】
【０００２】
架空電線にはカラスや椋鳥を初めとした各種の鳥類が飛来して架空電線に止まり、その際、鳥類が糞をして架空電線下の住宅（屋根や洗濯物）及び駐車車両を汚染する被害が発生している。そこで、各種の鳥害防止装置が開発されている。
【０００３】
キラキラと光る防鳥テープを鉄塔に取り付けて視覚的に鳥類の飛来を防止したり、鳥類が止まると回転する回転式鳥害防止器を架空電線に取り付けて物理的に鳥類が架空電線に駐鳥できないようにしたりしている。
【０００４】
架空線用鳥害防止具として、架空線に鳥が止まるのを妨げる突起部を有する突起部パーツと、この突起部パーツを架空線に固定する締付けリングとからなり、鳥が架空線に止まろうとしても突起に邪魔されて止まることができなくし、仮に鳥が突起付きリングの間に無理に止まったとしても突起にぶつかるので架空線に止まるのを嫌うようにしたものがある（例えば、特許文献１参照）。
【先行技術文献】
【特許文献】
【０００５】
【特許文献１】特開２００９−２１９２５１号公報
【発明の概要】
【発明が解決しようとする課題】
【０００６】
しかし、防鳥テープだけでは最初のうちは効果があるが、鳥類が防鳥テープのキラキラ感に慣れて来ると効果が減少する傾向にある。また、回転式鳥害防止器は、その設置箇所には鳥類が止まることができないので効果は大きいが、回転式鳥害防止器を取り付けると鉄塔荷重が増加するのでロングスパンでの取り付けができない。また、特許文献１のものについても、同様に、その鳥害防止具を取り付けた箇所には鳥類が止まることないが、突起部パーツと締付けリングとの２つのパーツが必要であることから重量が大きくなり、ロングスパンでの取り付けができない。
【０００７】
本発明の目的は、鉄塔荷重への負担を軽減し、しかもロングスパンで駐鳥を阻止できる鳥害防止装置を提供することである。
【課題を解決するための手段】
【０００８】
請求項１の発明に係る鳥害防止装置は、架空電線の上方に先端部が突出するように前記架空電線に巻き付けられて装着され、鳥が前記架空電線に止まる動作に入ったときに前記鳥の羽が先端部に当たる程度の長さ及び間隔で配置されたロックタイと、前記ロックタイの前記架空電線への装着部に先端部が前記架空電線の下方に垂れ下がるように取り付けられた防鳥テープとを備えたことを特徴とする。
【０００９】
請求項２の発明に係る鳥害防止装置は、請求項１の発明において、少なくとも２個の前記ロックタイを隣接して前記架空電線に取り付け、隣接した各々のロックタイは所定の狭角を保って取り付けられることを特徴とする。
【発明の効果】
【００１０】
請求項１の発明によれば、鳥が架空電線に止まる動作に入ったときに鳥の羽がロックタイの先端部に当たる程度の長さ及び間隔でロックタイを架空電線に装着し、ロックタイが回転式鳥害防止器や突起部を有した鳥害防止具より相対的に軽量であることから、鉄塔荷重への負担を軽減でき、ロングスパンで駐鳥を阻止できる。また、ロックタイの架空電線への装着部に防鳥テープの先端部が架空電線の下方に垂れ下がるように防鳥テープを取り付けるので、防鳥テープによる駐鳥も期待できる。
【００１１】
請求項２の発明によれば、少なくとも２個のロックタイを隣接して、各々のロックタイを所定の狭角を保って架空電線に取り付けるので、架空電線の「なり」や風圧によりロックタイの位置がずれても、少なくともいずれかのロックタイが架空電線の上方に向くので位置ずれにより駐鳥を防止できなくなることはない。
【図面の簡単な説明】
【００１２】
【図１】本発明の実施の形態に係る鳥害防止装置を架空電線に装着した状態を示す正面図。
【図２】本発明の実施の形態に係る鳥害防止装置の構成図。
【図３】本発明の実施の形態に係る鳥害防止装置を架空電線に装着する場合の説明図。
【図４】架空電線の同一箇所に２個のロックタイを取り付けた場合の鳥害防止装置の説明図。
【発明を実施するための形態】
【００１３】
以下、本発明の実施の形態を説明する。図１は本発明の実施の形態に係る鳥害防止装置を架空電線に装着した状態を示す正面図である。図１に示すように、ロックタイ１１は架空地線１２に巻き付けられ、ロックタイ１１の先端部１１ａが架空電線１２の上方に突出するように装着される。
【００１４】
ロックタイ１１は、電子機器内のケーブルの結束や雑誌類の結束に使用される市販の結束バンドを使用する。その場合、屋外で使用することから材質としては耐候性を有するものを選択する。一般に、市販されている結束バンドは、軽量で汎用性を有し安価であるので、本発明の実施の形態のロックタイに適している。
【００１５】
架空電線１２からロックタイ１１の先端部１１ａまでの距離がロックタイ１１の突出部の長さｄ１であり、この突出部の長さｄ１は、鳥が架空電線１２に止まる動作に入ったときに羽が当たる程度の長さとする。また、隣り合うロックタイ１１までの距離がロックタイ１１の取付間隔ｄ２であり、この取付間隔ｄ２は鳥が架空電線１２に止まる動作に入ったときに羽が当たる程度の間隔とする。このロックタイ１１の突出部の長さｄ１やロックタイ１１の取付間隔ｄ２は、鳥の種類によって異なることになる。
【００１６】
ロックタイ１１の突出部の長さｄ１の調整は、市販の結束バンドのうちの長さが適合するものを選択することになるが、長めの結束バンドを使用し、先端部１１ａを切断して長さを調整するようにしてもよい。ロックタイ１１の取付間隔ｄ２の調整は、ロックタイ１１を取り付ける際に取付位置を調整することで行う。
【００１７】
次に、ロックタイ１１の架空電線１２への巻付部には、防鳥テープ１３が架空電線１２の下方に垂れ下がるように取り付けられている。防鳥テープ１３も市販の絶縁性能を有したものを使用する。防鳥テープ１３はロックタイ１１に結んで取り付けられ、結び目１４で二つ折りとなり、架空電線１２の下方には、あたかも２つの防鳥テープ１３が垂れ下がったように取り付けられる。防鳥テープ１３の長さｄ３は、隣のロックタイ１１に取り付けられた防鳥テープ１３と絡まない程度の長さが選択される。
【００１８】
例えば、鳥がカラスである場合には、ロックタイ１１の突出部の長さｄ１は１３ｃｍ程度、ロックタイ１１の取付間隔ｄ２は２０ｃｍ程度、防鳥テープ１３の長さｄ３は３０ｃｍ程度とする。従って、ロックタイ１１の長さは、ロックタイを架空電線１２に巻き付けたときに、ロックタイ１１の突出部の長さｄ１が１３ｃｍ程度は確保できる長さのものを使用する。ロックタイ１１の突出部の長さｄ１が１３ｃｍ程度あれば、カラスが跨げない長さであり、羽ばたかなければ移動できないので、カラスが架空電線１２に止まるには羽が当たることになる。
【００１９】
図２は本発明の実施の形態に係る鳥害防止装置の構成図であり、図２（ａ）はロックタイ１１の平面図、図２（ｂ）はロックタイ１１の側面図である。図２（ｂ）ではロックタイ１１に防鳥テープ１３を取り付けたものを示している。
【００２０】
図２（ａ）に示すように、ロックタイ１１のロックタイ本体１１ｂには掛止溝１１ｃが形成され、ロックタイ本体１１ｂの後端部にはバックル部１１ｄが設けられている。バックル部１１ｄはロックタイ１１の先端部１１ａが挿入され貫通するための掛止穴１１ｅを有し、掛止穴１１ｅにはロックタイ本体１１ｂの掛止溝１１ｃと掛合する掛止部１１ｆが設けられている。そして、図２（ｂ）に示すように、ロックタイ１１に防鳥テープ１３を結んで取り付ける。結び目の位置は、ロックタイ１１を架空電線１２に巻き付けたときに架空電線１２の下部に位置する箇所とする。
【００２１】
図３は本発明の実施の形態に係る鳥害防止装置を架空電線１２に装着する場合の説明図である。まず、ロックタイ本体１１ｂを輪状にして架空電線１２に巻き付け、１巻きしたところでロックタイ１１の先端部１１ａをバックル部１１ｄの掛止穴１１ｅに挿入する。そして、先端部１１ａを掛止穴１１ｅに貫通させ、貫通した先端部１１ａを架空電線１２の上方に引っ張る。そうすると、ロックタイ本体１１ｂの掛止溝１１ｃが掛止部１１ｆに掛合しつつ、架空電線１２に巻き付けられたロックタイ本体１１ｂが徐々に締まってくる。さらにロックタイ１１の先端部１１ａを架空電線１２の上方に引っ張り、ロックタイ本体１１ｂが架空電線１２に緩みなく締結されるとロックタイ１１の架空電線１２への装着は完了する。
【００２２】
この装着が完了した状態では、ロックタイ本体１１ｂの掛止溝１１ｃが掛合穴１１ｅの掛止部１１ｆに掛合しているので、ロックタイ１１の先端部１１ａが架空電線１２の上方に向いた状態で、ロックタイ本体１１ｂは架空電線１２に固定されることになる。
【００２３】
以上の説明では、架空電線１２の同一箇所に１個のロックタイ１１を取り付けた場合について説明したが、架空電線１２の同一箇所に２個以上のロックタイ１１を取り付けるようにしてもよい。
【００２４】
図４は架空電線１２の同一箇所に２個のロックタイ１１を取り付けた場合の鳥害防止装置の説明図である。図４に示すように、２個のロックタイ１１を架空電線１２の同一箇所に隣接して取り付け、隣接した各々のロックタイ１１は所定の狭角αを保って取り付ける。図４ではＶ字状に取り付けた場合を示している。これは、架空電線１２の「なり」や風圧によりロックタイ１１の位置がずれることがあるので、たとえ、取付位置がずれても、２個のロックタイ１１のうち、いずれかのロックタイ１１は架空電線１２の上方に向くようにするためである。従って、所定の狭角αは、架空電線１２の「なり」や風圧により生じるロックタイ１１の位置ずれを吸収できる程度の角度が選択される。例えば、２５°〜３５°程度である。
【００２５】
なお、位置ずれが生じない場合にはＶ字の状態で装着されているので、架空電線１２に対して垂直方向ではないが、ロックタイ１１が横向きにならない限りは駐鳥を防止できるので、この２個のロックタイ１１がＶ字となっていても駐鳥を防止できる。
【００２６】
本発明の実施の形態によれば、ロックタイ１１は市販の耐候性のある結束バンドを選択して使用するので、軽量で汎用性があり安価である。従って、回転式鳥害防止器や突起部を有した鳥害防止具より相対的に軽量であることから、鉄塔荷重への負担を軽減でき、数多くのロックタイ１１を架空電線１２に取り付けることができる。
【００２７】
例えば、架空電線１２の１ｍあたりの重量比較をすると、回転式鳥害防止器の場合は３７２ｇ、突起部を有した鳥害防止具の場合は１，３００ｇ、本発明の実施の形態の鳥害防止装置の場合は１００ｇであり各段に軽量化できる。
【００２８】
すなわち、回転式鳥害防止器の場合は架空電線１２の１ｍあたりに２個の回転式鳥害防止器を取り付けるので、２個×１８６ｇ＝３７２ｇである。一方、突起部を有した鳥害防止具の場合には、架空電線１２の１ｍあたりに２０個の鳥害防止具を取り付けるので、２０個×６５ｇ＝１，３００ｇである。これに対し、本発明の実施の形態の鳥害防止装置の場合は架空電線１２の１ｍあたりに１０本取り付けるので、２個のロックタイ１１を用いたＶ字とした場合であっても、１０本×１０ｇ＝１００ｇである。従って、本発明の実施の形態ではロングスパンで駐鳥を阻止できる。
【００２９】
また、本発明の実施の形態では、ロックタイ１１は市販の耐候性のある結束バンドを選択して使用するので、架空電線１２の線径が異なっても柔軟に適用できる。また、ロックタイ１１の長さを調整することにより、カラスだけでなく椋鳥やその他の各種の鳥にも対応できる。
【符号の説明】
【００３０】
１１…ロックタイ、１１ａ…先端部、１１ｂ…ロックタイ本体、１１ｃ…掛止溝、１１ｄ…バックル部、１１ｅ…掛止穴、１１ｆ…掛止部、１２…架空電線、１３…防鳥テープ、１４…結び目
【図１】
2011239601.tif 000003
【図２】
2011239601.tif 000004
【図３】
2011239601.tif 000005
【図４】
2011239601.tif 000006